(57)【要約】【課題】本発明の洗濯機は、一つの給水路が何らかの原因で異常が生じても、洗濯の運転に支障をきたすことなく最後まで運転を完遂することを目的とする。【解決手段】制御手段１９は、洗濯行程の開始後、少なくとも給水弁１１を開放し、洗濯工程開始から所定時間以内に水槽３内の水位が所定水位に到達しない場合、給水弁１１を閉塞し、水道側給水弁１０を開放すると共に、操作表示部１６に異常表示を表示するものである。これにより、水道以外の水源に接続された給水弁を開放して洗濯工程を行なう際に、所定時間内に所定水位まで水槽内に給水されない場合には、何らかの原因で異常が発生し、給水ができていないと判断して、給水弁を閉塞し、水道側給水弁を開放して水道からの水により洗濯工程を継続すると共に、異常を報知する。【選択図】図４
2018078986.tif 000002
【特許請求の範囲】
【請求項１】
水槽と、水道側給水弁を有し、前記水槽内に水道水を給水する給水路と、給水弁を有し、前記水槽内に水道水以外の水を給水する給水路と、操作パネル内に収められ操作装置及び表示装置を有する操作表示部と、前記水槽内の水位を検出する水位センサと、前記給水弁、前記操作表示部及び前記水位センサの信号に基づいて洗濯工程を制御する制御手段とを備え、
前記制御手段は、洗濯行程の開始後、少なくとも前記給水弁を開放し、洗濯工程開始から所定時間以内に前記水槽内の水位が所定水位に到達しない場合、前記給水弁を閉塞し、前記水道側給水弁を開放すると共に、前記操作表示部に異常表示を表示する洗濯機。
【請求項２】
前記給水弁は、温水供給源に接続される請求項１に記載の洗濯機。
【請求項３】
前記制御手段は、前記操作表示部の発光体の点滅パターンにより異常を報知する請求項１または２に記載の洗濯機。
【発明の詳細な説明】
【技術分野】
【０００１】
本発明は、給水弁を有する複数の給水路から水槽内に水を供給して衣類などの洗濯を行う洗濯機に関する。
【背景技術】
【０００２】
近年、衣類を傷めることなく洗浄効果を高めるために、洗濯槽内にお湯を入れて洗濯を行うことが行われるようになってきた。
【０００３】
従来、この種の洗濯機は、洗濯機に２個の電磁給水弁を配設し、一方の電磁給水弁は、水道側電磁給水弁として水道蛇口に連結し、他方の電磁給水弁は、給湯側電磁給水弁として給湯器に接続していた（例えば、特許文献１）。
【０００４】
上記従来の構成においては、温水を使用しない場合、またはすすぎの場合は、水道側電磁給水弁のみを使用し、温水を使用する場合は、水道側電磁給水弁と給湯側電磁給水弁とを同時に開放し、また熱水を使用する場合は、給湯側電磁給水弁のみ開放している。
【先行技術文献】
【特許文献】
【０００５】
【特許文献１】特開平４−１９７２９７号公報
【発明の概要】
【発明が解決しようとする課題】
【０００６】
しかしながら、従来の洗濯機では、洗濯機の外部から温水を供給する構成のため、給水ホースが給湯器側電磁給水弁に良好に接続できていない場合などには、洗濯ができない状態で放置されることになり、使用者に無駄な時間を費やさせる問題があった。
【０００７】
本発明は、上記従来の課題を解決するもので、洗濯ができていない状態で放置されるのを抑制し得る洗濯機を提供することを課題とする。
【課題を解決するための手段】
【０００８】
本発明は、上記目的を達成するために、水槽と、水道側給水弁を有し、前記水槽内に水道水を給水する給水路と、給水弁を有し、前記水槽内に水道水以外の水を給水する給水路と、操作パネル内に収められ操作装置及び表示装置を有する操作表示部と、前記水槽内の水位を検出する水位センサと、前記給水弁、前記操作表示部及び前記水位センサの信号に基づいて洗濯工程を制御する制御手段とを備え、前記制御手段は、洗濯行程の開始後に、少なくとも前記給水弁を開放し、洗濯工程開始から所定時間以内に前記水槽内の水位が所定水位に到達しない場合には、前記給水弁を閉塞し、前記水道側給水弁を開放すると共に、前記操作表示部に異常表示を表示するものである。
【０００９】
これにより、給水路に何らかの原因で異常が生じても、洗濯の運転に支障をきたすことなく洗濯を行なうことができるので、使用者の時間の浪費を抑制でき、使用者が安心して洗濯することができる。
【発明の効果】
【００１０】
本発明の洗濯機は、給水路に何らかの原因で異常が生じても、洗濯の運転に支障をきたすことなく洗濯を行なうことができるので、使用者の時間の浪費を抑制でき、使用者が安心して洗濯することができる。
【図面の簡単な説明】
【００１１】
【図１】本発明の実施の形態１の洗濯機の側断面図
【図２】同洗濯機の外観斜視図
【図３】同洗濯機の回路図
【図４】同洗濯機の動作を示すフローチャート
【発明を実施するための形態】
【００１２】
第１の発明は、水槽と、水道側給水弁を有し、前記水槽内に水道水を給水する給水路と、給水弁を有し、前記水槽内に水道水以外の水を給水する給水路と、操作パネル内に収められ操作装置及び表示装置を有する操作表示部と、前記水槽内の水位を検出する水位センサと、前記給水弁、前記操作表示部及び前記水位センサの信号に基づいて洗濯工程を制御する制御手段とを備え、前記制御手段は、洗濯行程の開始後、少なくとも前記給水弁を開放し、洗濯工程開始から所定時間以内に前記水槽内の水位が所定水位に到達しない場合、前記給水弁を閉塞し、前記水道側給水弁を開放すると共に、前記操作表示部に異常表示を表示するものである。
【００１３】
本発明に係る洗濯機では、水道以外の水源に接続された給水弁を開放して洗濯工程を行なう際に、所定時間内に所定水位まで水槽内に給水されない場合には、何らかの原因で異常が発生し、給水ができていないと判断して、給水弁を閉塞し、水道側給水弁を開放して水道からの水により洗濯工程を継続すると共に、異常を報知する。これにより、洗濯運転が中断されて時間が無駄となることを解決することができる。異常の報知により、使用者が給水に異常があったことを確認でき、その原因を解決することで、次回の洗濯では、希望の洗濯コースを実現することができる。
【００１４】
第２の発明は、第１の発明の前記給水弁は、温水供給源に接続されるものである。これにより、温水による洗濯を可能とし、洗浄効果を向上することができる。また、何らかの原因で温水が供給できない場合でも、水道水を利用して洗濯コースを実行することができる。
【００１５】
第３の発明は、第１または第２の発明の前記制御手段は、前記操作表示部の発光体の点滅パターンにより異常を報知するものであり、発光体の点滅パターンにより異常を報知することにより、表示部に異常内容を表示するよりも使用電力を削減することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における洗濯機の側断面図、図２は、同洗濯機を示す斜視図である。
【００１８】
図１および図２において、洗濯機本体１は、内部にサスペンション２により水槽３を懸垂防振支持している。水槽３内部には、洗濯槽５を回転自在に配設し、洗濯槽５は、側壁に多数の脱水孔６を有するとともに、内周の上部に流体バランサ７を有している。洗濯槽５の中央底部には、外周を傾斜面としたナベ型の形状に形成したパルセータ８が配設されている。洗濯槽５及びパルセータ８は、洗濯・脱水軸４に接続され、洗濯・脱水軸４を介してモータ９の回転力が洗濯槽５及びパルセータ８に伝達される。前記洗濯槽５は、蓋体１８により開閉自在に閉塞されている。
【００１９】
洗濯機本体１の上部後方には、水道側電磁給水弁１０および給湯側電磁給水弁１１を設
けている。水道側電磁給水弁１０および給湯側電磁給水弁１１は、それぞれ水道用給水ホース１２および給湯用給水ホース１３を介して水道蛇口および給湯器（図示せず）に連結しており、各電磁給水弁１０、１１は、それぞれ洗濯槽５の上方に設けた給水口（図示せず）に連通している。
【００２０】
水道側電磁給水弁１０および給湯側電磁給水弁１１と給水口との間には、水道側サーミスタ（水温検知手段）１４と給湯側サーミスタ（水温検知手段）１５とを装着している。洗濯機本体１の底部には、エアートラップ部（図示せず）を設け、エアートラップ部を介して水位センサ（水位検知手段）１７を装着している。洗濯機本体１の前部には、操作表示部１６を設けている。
【００２１】
図３は、本発明の実施の形態１における回路図を示し、マイクロコンピュータよりなる制御手段１９は、水位センサ１７の出力を入力し、所定のプログラムに基づいて、駆動手段２０を介して水道側電磁給水弁１０と給湯側電磁給水弁１１および表示ランプ２１を駆動させる。
【００２２】
図４は、本実施の形態１におけるフローチャートを示し、図４を参照しながら、上記構成における動作を説明する。
【００２３】
ステップＳ１において、温水洗浄コースが選択されたか否かを判断し、他のコースが選択されると、ステップＳ２において、選択された他のコースに移行する。
【００２４】
ステップＳ１において、温水洗浄コースが選択されると、ステップＳ３において、給湯側電磁給水弁１１を開放し、水槽３内に所定の温度の温水を供給する。
【００２５】
ステップＳ４において、水槽３内の水位が所定水位に到達したか否かを判断する。ステップＳ４において、水槽３内の水位が所定水位に到達していない場合は、ステップＳ５に移行し、給水動作開始から、すなわち、温水側電磁給水弁８の動作開始から所定時間経過したか否か判断する。所定時間経過していない場合は、ステップＳ４に移行する。
【００２６】
ステップＳ５の所定時間内に、ステップＳ４において、水槽３内が所定水位に到達すると、ステップＳ６に移行し、温水洗濯コースを継続し、ステップＳ７において、温水洗濯コースが終了すると、電源をＯＦＦする。
【００２７】
ステップＳ５の所定時間が経過しても、水槽３内が所定水位に到達しない場合には、温水給湯経路に異常が発生していると判断して、ステップＳ８において、給湯側電磁給水弁１１を閉塞し、ステップＳ９において、水道側電磁給水弁１０を開放し、ステップＳ１０において、表示ランプ２１を点滅させて異常表示を行なう。本実施の形態では、表示ランプ２１として、ＬＥＤを用いている。
【００２８】
ステップＳ１１において、水槽３内が所定水位に到達したか否か判断し、水槽３内が所定水位に到達すると、ステップＳ１２に移行し、温水洗浄コースを継続する。
【００２９】
ステップＳ１３において、温水洗濯コースが終了すると、ステップＳ１４において、蓋体１８が開放されたか否か判断し、蓋体１８が開放されると、洗濯機本体１の電源をＯＦＦする。ステップＳ１４において、蓋体１８が開放されない場合には、ステップＳ１５に移行し、温水洗濯コースの終了から一定時間経過したか否か判断し、一定時間経過すると、洗濯機本体１の電源をＯＦＦする。
【００３０】
ステップＳ１０において行なった異常表示は、ステップＳ１４において、蓋体１８が開
放されたと判断されるか、ステップＳ１５において、温水洗濯コースの運転終了から一定時間経過したと判断されるまで継続する。
【００３１】
異常表示の報知を継続により、使用者が正常な温水洗浄コースが行なわれていないことを確認することができる。使用者は、正常に温水洗浄コースが行なわれなかった原因を解決することで、次回以降には、温水洗浄コースを正常に行なうことができる。
【００３２】
尚、本実施の形態では、温水洗浄コースを備えて、給湯側電磁給水弁を給湯器に接続した構成としたが、給湯器に換えて、風呂に配設した給水ポンプに接続する構成としてもよい。この場合、温水洗浄コースをなくした洗濯機に採用することが可能である。
【産業上の利用可能性】
【００３３】
以上のように、本発明にかかる洗濯機は、複数の給水口を有する洗濯機において、給水異常を検知し、運転を継続することができるため、縦型洗濯機だけでなく、ドラム型洗濯機にも有用である。
【符号の説明】
【００３４】
１  洗濯機本体
３  水槽
５  洗濯槽
１０  水道側電磁給水弁
１１  給湯側電磁給水弁
１２  水道用給水ホース
１３  給湯用給水ホース
１６  操作表示部
１７  水位センサ
１８  蓋体
１９  制御手段
２０  駆動手段
２１  表示ランプ
【図１】
2018078986.tif 000003
【図２】
2018078986.tif 000004
【図３】
2018078986.tif 000005
【図４】
2018078986.tif 000006